【手続補正書】
【提出日】平成16年4月9日(2004.4.9)
【手続補正１】
【補正対象書類名】明細書
【補正対象項目名】特許請求の範囲
【補正方法】変更
【補正の内容】
【特許請求の範囲】
【請求項１】
ユーザの第１と第２の認証キーのうちの前記第１の認証キーを第１のシステムで記憶するステップと、
前記ユーザの第１と第２の認証キーのうちの前記第２の認証キーを、前記第１のシステムと通信可能な第２のシステムで記憶するステップと、
前記第１のシステムにて、前記ユーザから第１の認証キーの入力を受けて、入力された第１の認証キーと、記憶されている前記ユーザの第１の認証キーとを照合することで、第１段階の個人認証を行なうステップと、
前記第１段階の個人認証が成功した場合、前記第１のシステムから前記ユーザに対して、ワンタイムIDを発行するステップと、
前記第１システムから前記第２のシステムに対し、前記ユーザに発行した前記ワンタイムIDを通知するステップと、
前記第１のシステムから通知された前記ワンタイムIDを前記第２のシステムで記憶するステップと、
前記第２のシステムにて、第２の認証キー及びワンタイムIDの入力を受けて、入力された第２の認証キー及びワンタイムIDを、記憶されている前記ユーザの第２の認証キー及びワンタイムIDと照合することで、第２段階の個人認証を行なうステップと、
前記第２段階の個人認証の結果に応じて、前記ユーザへのサービスの提供を制御するステップと
を有する個人認証方法。
【請求項２】
前記ユーザの携帯通信端末の識別番号を前記第１のシステムで記憶するステップを、さらに有し、
前記第１段階の個人認証を行なうステップでは、携帯通信端末を通じて前記ユーザから第１の認証キーの入力を受けて、入力された第1の認証キー及び前記入力に使用された携帯通信端末の識別番号を、記憶されている前記ユーザの第１の認証キー及び通信端末の識別番号と照合することで、前記ユーザに関する前記第１段階の個人認証を行なう、請求項１記載の個人認証方法。
【請求項３】
前記ユーザの顔写真画像を前記第１のシステムで記憶するステップを、さらに有し、
前記ワンタイムIDを発行するステップでは、前記ワンタイムIDとともに、記憶されている前記ユーザの顔写真画像を、前記ユーザが表示できるような態様で、前記ユーザに対して発行する、請求項１記載の個人認証方法。
【請求項４】
ユーザの第１と第２の認証キーのうちの前記第１の認証キーを第１のシステムで記憶するステップと、
前記ユーザの第１と第２の認証キーのうちの前記第２の認証キーを、前記第１のシステムと通信可能な第２のシステムで記憶するステップと、
前記第１のシステムにて、前記ユーザから第１の認証キーの入力を受けて、入力された第１の認証キーと、記憶されている前記ユーザの第１の認証キーとを照合することで、第１段階の個人認証を行なうステップと、
前記第１段階の個人認証が成功した場合、前記第１のシステムから前記ユーザに対して、第１のワンタイムIDを発行するステップと、
前記第１システムから前記第２のシステムに対し、前記ユーザに発行した前記第１のワンタイムIDを通知するステップと、
前記第１のシステムから通知された前記第１のワンタイムIDを前記第２のシステムで記憶するステップと、
前記第２のシステムにて、前記ユーザから第２の認証キー及び第１のワンタイムIDの入力を受けて、入力された第２の認証キー及び第１のワンタイムIDを、記憶されている前記ユーザの第２の認証キー及び第１のワンタイムIDと照合することで、第２段階の個人認証を行なうステップと、
前記第２段階の個人認証が成功した場合、前記第２のシステムから前記ユーザに対して、第２のワンタイムIDを発行するステップと、
前記第２のシステムにて、第１及び第２のワンタイムIDの入力を受けて、入力された第１及び第２のワンタイムIDを、記憶されている前記ユーザの第１及び第２のワンタイムIDと照合することで、第３段階の個人認証を行なうステップと、
前記第３段階の個人認証の結果に応じて、前記ユーザへのサービスの提供を制御するステップと
を有する個人認証方法。
【請求項５】
ユーザの第１と第２の認証キーのうちの前記第１の認証キーを記憶した第１のシステムと、
前記ユーザの第１と第２の認証キーのうちの前記第２の認証キーを記憶した、前記第１のシステムと通信可能な第２のシステムと、
を備え、
(1)  前記第１のシステムは、
(1-1)  前記ユーザから第１の認証キーの入力を受けて、入力された第１の認証キーを、記憶されている前記ユーザの第１の認証キーと照合することで、第１段階の個人認証を行なう手段と、
(1-2)  前記第１段階の個人認証が成功した場合、前記ユーザに対して、ワンタイムIDを発行する手段と、
(1-3)  前記ユーザに発行した前記ワンタイムIDを、前記第２のシステムに通知する手段と、
を有し、
(2)  前記第２のシステムは、
(2-1)  前記第１のシステムから通知された前記ワンタイムIDを記憶する手段と、
(2-2)  第２の認証キー及びワンタイムIDの入力を受けて、入力された第２の認証キー及びワンタイムIDを、記憶されている前記ユーザの第２の認証キー及びワンタイムIDと照合することで、第２段階の個人認証を行なうステップと、
を有し、
前記第２段階の個人認証の結果に応じてユーザへのサービスの提供を制御可能な個人認証システム。
【請求項６】
前記第１のシステムは、
(1-4)  前記ユーザの携帯通信端末の識別番号を記憶する手段を、さらに有し、
前記第１のシステムの前記第１段階の個人認証を行なう手段(1-1)は、携帯通信端末を通じて前記ユーザから第１の認証キーの入力を受けて、入力された第1の認証キー及び前記入力に使用された携帯通信端末の識別番号を、記憶されている前記ユーザの第１の認証キー及び通信端末の識別番号と照合することで、前記第１段階の個人認証を行なう、請求項５記載の個人認証システム。
【請求項７】
前記第１のシステムは、
(1-5)  前記ユーザの顔写真画像を記憶する手段を、さらに有し、
前記第１のシステムの前記ワンタイムIDを発行する手段(1-2)は、前記ワンタイムIDとともに、記憶されている前記ユーザの顔写真画像を、前記ユーザが表示できるような態様で、前記ユーザに対して発行する、請求項５記載の個人認証システム。
【請求項８】
ユーザの第１と第２の認証キーのうちの前記第１の認証キーを記憶した第１のシステムと、
前記ユーザの第１と第２の認証キーのうちの前記第２の認証キーを記憶した、前記第１のシステムと通信可能な第２のシステムと、
を備え、
(1)  前記第１のシステムは、
(1-1)  前記ユーザから第１の認証キーの入力を受けて、入力された第１の認証キーと、記憶されている前記ユーザの第１の認証キーとを照合することで、第１段階の個人認証を行なう手段と、
(1-2)  前記第１段階の個人認証が成功した場合、前記ユーザに対して、第１のワンタイムIDを発行する手段とステップと、
(1-3)  前記ユーザに発行した前記第１のワンタイムIDを、前記第２のシステムに通知する手段と、
(2)  前記第２のシステムは、
(2-1)  前記第１のシステムから通知された前記第１のワンタイムIDを記憶する手段と、
(2-2)  前記ユーザから第２の認証キー及び第１のワンタイムIDの入力を受けて、入力された第２の認証キー及び第１のワンタイムIDを、記憶されている前記ユーザの第２の認証キー及び第１のワンタイムIDと照合することで、第２段階の個人認証を行なう手段と、
(2-3)  前記第２段階の個人認証が成功した場合、前記ユーザに対して、第２のワンタイムIDを発行する手段と、
(2-4)  第１及び第２のワンタイムIDの入力を受けて、入力された第１及び第２のワンタイムIDを、記憶されている前記ユーザの第１及び第２のワンタイムIDと照合することで、前記ユーザに関する第３段階の個人認証を行なう手段と、
を有し、
前記第３段階の個人認証の結果に応じて、前記ユーザへのサービスの提供を制御可能な個人認証システム。
【請求項９】
ユーザの第１と第２の認証キーのうちの第２の認証キーを用いて前記ユーザの個人認証を行なう認証システムに対して、個人認証の支援を行なうための、前記認証システムと通信可能な個人認証支援システムにより行われる方法において、
ユーザの第１と第２の認証キーのうちの前記第１の認証キーを記憶し、前記第1の認証キーを前記認証システムに対して秘密にするステップと、
記憶されている前記ユーザの第１の認証キーを用いて、予備的な個人認証を行なうステップと、
前記予備的な個人認証が成功した場合、前記ユーザに対して、ワンタイムIDを発行するステップと、
前記第２のシステムに対し、前記ユーザに発行した前記ワンタイムIDを通知するステップと、
を有し、それにより、前記認証システムをして前記第２の認証キー及びワンタイムIDを用いて前記ユーザの個人認証を行なうことを可能にならしめる個人認証支援方法。
【請求項１０】
前記ユーザの携帯通信端末の識別番号を記憶するステップを、さらに有し、
前記予備的な個人認証を行なうステップでは、携帯通信端末を通じて前記ユーザと通信を行なって、前記第１の認証キーとともに、前記通信に使用された携帯通信端末の識別番号も用いて、前記予備的な個人認証を行なう、請求項９記載の個人認証支援方法。
【請求項１１】
ユーザの第１と第２の認証キーのうちの第２の認証キーを用いて前記ユーザの認証を行なう認証システムに対して、個人認証の支援を行なうための、前記認証システムと通信可能な個人認証支援システムにおいて、
ユーザの第１と第２の認証キーのうちの前記第１の認証キーを記憶し、前記第1の認証キーを前記認証システムに対して秘密にする手段と、
記憶されている前記ユーザの第１の認証キーを用いて、予備的な個人認証を行なう手段と、
前記予備的な個人認証が成功した場合、前記ユーザに対して、ワンタイムIDを発行する手段と、
前記第２のシステムに対し、前記ユーザに発行した前記ワンタイムIDを通知する手段と、
を備え、それにより、前記認証システムをして前記第２の認証キー及びワンタイムIDを用いて前記ユーザの個人認証を行なうことを可能にならしめる認証支援システム。
【請求項１２】
前記ユーザの携帯通信端末の識別番号を記憶する手段を、さらに備え、
前記予備的な個人認証を行なう手段は、携帯通信端末を通じて前記ユーザと通信を行なって、前記第１の認証キーとともに、前記通信に使用された携帯通信端末の識別番号も用いて、前記予備的な個人認証を行なう、請求項１１記載の個人認証支援システム。
【請求項１３】
ユーザの第１と第２の認証キーのうちの前記第１の認証キーを用いて前記ユーザの予備的な個人認証を行なう認証支援システムの支援の下で、前記ユーザの個人認証を行なうための、前記認証支援システムと通信可能な個人認証システムにより行われる方法において、
前記ユーザの第１と第２の認証キーのうちの前記第２の認証キーを記憶し、前記第２の認証キーを前記認証支援システムに秘密にするステップと、
前記認証支援システムでの前記予備的な個人認証が成功した場合、前記ユーザに対して発行されたワンタイムIDを、前記認証支援システムから通知されるステップと、
前記認証支援システムから通知された前記ワンタイムIDを記憶するステップと、
記憶されている前記ユーザの第２の認証キー及びワンタイムIDを用いて、前記ユーザの第２段階の個人認証を行なうステップと、
を有する個人認証方法。
【請求項１４】
ユーザの第１と第２の認証キーのうちの前記第１の認証キーを用いて前記ユーザの予備的な個人認証を行なう認証支援システムの支援の下で、前記ユーザの個人認証を行なうための、前記認証支援システムと通信可能な個人認証システムにおいて、
前記ユーザの第１と第２の認証キーのうちの前記第２の認証キーを記憶し、前記第２の認証キーを前記認証支援システムに秘密にする手段と、
前記認証支援システムでの前記予備的な個人認証が成功した場合、前記ユーザに対して発行されたワンタイムIDを、前記認証支援システムから通知される手段と、
前記認証支援システムから通知された前記ワンタイムIDを記憶する手段と、
記憶されている前記ユーザの第２の認証キー及びワンタイムIDを用いて、前記ユーザの第２段階の個人認証を行なう手段と、
を備える個人認証システム。
【請求項１５】
ユーザの第１と第２の認証キーのうちの前記第１の認証キーを用いて前記ユーザの予備的な個人認証を行なう認証支援システムの支援の下で、前記ユーザの個人認証を行なうための、前記認証支援システムと通信可能な個人認証システムにより行われる方法において、
前記ユーザの第１と第２の認証キーのうちの前記第２の認証キーのみを記憶し、前記第２の認証キーを前記認証支援システムに秘密にするステップと、
前記認証支援システムでの前記予備的な個人認証が成功した場合、前記ユーザに対して発行された第１のワンタイムIDを、前記認証支援システムから通知されるステップと、
前記認証支援システムから通知された前記第１のワンタイムIDを記憶するステップと、
記憶されている前記ユーザの第２の認証キー及び第１のワンタイムIDを用いて、前記ユーザの第２段階の個人認証を行なうステップと、
前記第２段階の個人認証が成功した場合、前記ユーザに対して、第２のワンタイムIDを発行し、且つ記憶するステップと、
記憶されている前記ユーザの第１及び第２のワンタイムIDを用いて、前記ユーザの第３段階の個人認証を行なうステップと、
を有する個人認証方法。
【請求項１６】
ユーザの第１と第２の認証キーのうちの前記第１の認証キーを用いて前記ユーザの予備的な個人認証を行なう認証支援システムの支援の下で、前記ユーザの個人認証を行なうための、前記認証支援システムと通信可能な個人認証システムシステムにおいて、
前記ユーザの第１と第２の認証キーのうちの前記第２の認証キーを記憶し、前記第２の認証キーを前記認証支援システムに秘密にする手段と、
前記認証支援システムでの前記予備的な個人認証が成功した場合、前記ユーザに対して発行された第１のワンタイムIDを、前記認証支援システムから通知される手段と、
前記認証支援システムから通知された前記第１のワンタイムIDを記憶するステップと、
記憶されている前記ユーザの第２の認証キー及び第１のワンタイムIDを用いて、前記ユーザの第２段階の個人認証を行なう手段と、
前記第２段階の個人認証が成功した場合、前記ユーザに対して、第２のワンタイムIDを発行し、且つ記憶する手段と、
記憶されている前記ユーザの第１及び第２のワンタイムIDを用いて、前記ユーザの第３段階の個人認証を行なう手段と、
を有する個人認証システム。
【手続補正２】
【補正対象書類名】明細書
【補正対象項目名】０００８
【補正方法】変更
【補正の内容】
【０００８】
【課題を解決するための手段】
本発明の第１の態様に従う個人認証方法では、ユーザの第１と第２の認証キーのうちの前記第１の認証キーを第１のシステムで記憶し、前記第２の認証キーを、前記第１のシステムと通信可能な第２のシステムで記憶する。このように第１と第２の認証キーを、異なるシステムが分離して記憶する。


【手続補正３】
【補正対象書類名】明細書
【補正対象項目名】００１３
【補正方法】変更
【補正の内容】
【００１３】
本発明の別の観点に従う個人認証方法では、上記のようにユーザの第１と第２の認証キーを第１と第２の異なるシステムが分離して記憶している。そして、第１のシステムは、前記ユーザから第１の認証キーの入力を受けて、入力された第１の認証キーと、記憶されている前記ユーザの第１の認証キーとを照合することで、第１段階の個人認証を行なう。第１段階の個人認証が成功した場合、第１のシステムは、前記ユーザに対して、第１のワンタイムIDを発行するとともに、前記ユーザに発行した前記第１のワンタイムIDを、第２のシステムに通知する。第２のシステムは、第１のシステムから通知された前記第１のワンタイムIDを記憶する。